(57)【要約】【課題】  吸水用パッドをポケット内に入れることが可能な男性用下着を提供する。【解決手段】  男性用の下着１０の内部に男性器官用のポケットとして機能する生地２が設けられており、該生地２は、下着１０と協働して男性器官用のポケットとして機能する本体部と、本体部の上方に本体部と一体となって形成された伸縮性を有する一対の腕部とを有し、一対の腕部の各内側縁は、前記本体部の上縁と連続して、Ｕ字形の形状をなし、該Ｕ字形形状部には、これに沿って伸縮性部材が配設され、該Ｕ字形形状部は、ここから男性器官が前記ポケット内にいれられたときに、男性器官の下部に当接し、男性器官を下方から支持するようになっており、また、前記生地２は、伸縮性のある素材で形成され、前記生地２の本体部の面は、所定の大きさおよび厚さの吸水用パッドがポケット内に入るように、湾曲して所定の膨らみを有している。【選択図】      図１
2006214026.tif 000002
【特許請求の範囲】
【請求項１】
男性用の下着の内部に男性器官用のポケットとして機能する生地が設けられており、該生地は、下着と協働して男性器官用のポケットとして機能する本体部と、本体部の上方に本体部と一体となって形成された伸縮性を有する一対の腕部とを有し、前記一対の腕部は、その各上縁が下着に取り付けられ、外側縁および内側縁が下着に対し開放されており、前記一対の腕部の外側縁には、これに沿って伸縮性部材が配設され、また、一対の腕部の各内側縁は、前記本体部の上縁と連続して、Ｕ字形の形状をなし、該Ｕ字形形状部には、これに沿って伸縮性部材が配設され、該Ｕ字形形状部は、ここから男性器官が前記ポケット内にいれられたときに、男性器官の下部に当接し、男性器官を下方から支持するようになっており、また、前記生地は、伸縮性のある素材で形成され、前記生地の本体部の面は、所定の大きさおよび厚さの吸水用パッドがポケット内に入るように、湾曲して所定の膨らみを有していることを特徴とする男性用下着。
【請求項２】
請求項１記載の男性用下着において、前記生地は、男性用の下着の前身の内側に取付けられるようになっていることを特徴とする男性用下着。
【請求項３】
請求項１記載の男性用下着において、前記生地は、男性用の下着に着脱自在に取付けられるようになっていることを特徴とする男性用下着。
【請求項４】
男性用の下着の内部に取り付けられて用いられる生地であって、該生地は、下着と協働して男性器官用のポケットとして機能する本体部と、本体部の上方に本体部と一体となって形成された伸縮性を有する一対の腕部とを有し、前記一対の腕部の各内側縁は、前記本体部の上縁と連続して、Ｕ字形の形状をなし、該Ｕ字形形状部には、これに沿って伸縮性部材が配設されており、また、前記生地は、伸縮性のある素材で形成され、また、前記生地の本体部をのばしながら生地の本体部の外縁が伸縮性部材でくるみ込むように縫製されていることによって、生地の本体部が所定の膨らみを有していることを特徴とする生地。
【発明の詳細な説明】
【技術分野】
【０００１】
本発明は、男性のトランクス，ブリ−フ等の男性用下着および生地に関する。
【背景技術】
【０００２】
従来、図７に示すような男性用下着が一般的に知られている。図７に示す下着２０は、前身２１と、後身２２と、股部２４と、脇部２５とから形成されている。
【０００３】
ところで、上述したような男性用下着を着用するときには、男性器官，すなわち陰茎およびこう丸は男性用下着によって保護され、従って、男性器官からの尿等の汚れがズボンに付着したりするのを防止することができる。しかしながら、この場合、男性器官は、脚等と直接接触可能な状態にあり、長時間座っていたり、スポ−ツを行なっているときなどに、男性器官が脚等に直接触れると、不快であったり、衛生的でないなどの問題があった。
【０００４】
このような問題を解決するために本願の発明者は、特許文献１に示されているような男性用下着を考案している。すなわち、この男性用下着は、男性用の下着の内部に男性器官用のポケットとして機能する生地が設けられており、該生地は、下着と協働して男性器官用のポケットとして機能する本体部と、本体部の上方に本体部と一体となって形成された伸縮性を有する一対の腕部とを有し、前記一対の腕部は、その各上縁が下着に取り付けられ、外側縁および内側縁が下着に対し開放されており、前記一対の腕部の外側縁には、これに沿って伸縮性部材が配設され、また、一対の腕部の各内側縁は、前記本体部の上縁と連続して、Ｕ字形の形状をなし、該Ｕ字形形状部には、これに沿って伸縮性部材が配設され、該Ｕ字形形状部は、ここから男性器官が前記ポケット内にいれられたときに、男性器官の下部に当接し、男性器官を下方から支持するようになっている。
【０００５】
このような男性用下着では、男性用の下着の内部に男性器官用のポケットとして機能する生地が設けられているので、この下着の着用時にはこのポケット内に，すなわち生地の本体部と下着の前身との間に男性器官を入れてこれを収容することができる。この際、本体部の上方に本体部と一体となって形成された一対の腕部は伸縮性を有しており、また、その各内側縁は本体部の上縁と連続してＵ字形の形状を有しており、Ｕ字状形状部は、ここから男性器官がポケット内に入れられたときに腕部の伸縮性によって男性器官の下部に当接し、男性器官を下方から支持する。また、形状がＵ字形となっているので、男性器官を安定して支持し、かつ男性器官の下部に圧迫感等を与えずに済む。
【特許文献１】実開平６−２０４０５号公報
【発明の開示】
【発明が解決しようとする課題】
【０００６】
しかしながら、上述した従来の男性用下着では、吸水用パッド（尿などを吸収するためのパッド）を用いることについて、何ら考慮されていなかった。
【０００７】
さらに、上述した本願の発明者による従来の男性用下着では、生地にダーツおよび／またはイセコミが施されており、生地にダ−ツやイセコミを施すことによって、生地に膨らみをもたせ、生地と下着との間の空間に男性器官を十分に収容するだけの余裕をもたせるようにしているが、生地にダーツやイセコミ等を施す場合には、コストが高くなるなどの問題があった。
【０００８】
本発明は、生地にダーツやイセコミ等を施さずとも、生地に十分な膨らみをもたせることができて、吸水用パッド（尿などを吸収するためのパッド）をポケット内に入れることが可能であり、この場合にも着用者に違和感を生じさせずに男性器官を安定して支持することが可能な男性用下着および生地を提供することを目的としている。
【課題を解決するための手段】
【０００９】
上記目的を達成するために、請求項１記載の発明は、男性用の下着の内部に男性器官用のポケットとして機能する生地が設けられており、該生地は、下着と協働して男性器官用のポケットとして機能する本体部と、本体部の上方に本体部と一体となって形成された伸縮性を有する一対の腕部とを有し、前記一対の腕部は、その各上縁が下着に取り付けられ、外側縁および内側縁が下着に対し開放されており、前記一対の腕部の外側縁には、これに沿って伸縮性部材が配設され、また、一対の腕部の各内側縁は、前記本体部の上縁と連続して、Ｕ字形の形状をなし、該Ｕ字形形状部には、これに沿って伸縮性部材が配設され、該Ｕ字形形状部は、ここから男性器官が前記ポケット内にいれられたときに、男性器官の下部に当接し、男性器官を下方から支持するようになっており、また、前記生地は、伸縮性のある素材で形成され、前記生地の本体部の面は、所定の大きさおよび厚さの吸水用パッドがポケット内に入るように、湾曲して所定の膨らみを有していることを特徴としている。
【００１０】
また、請求項２記載の発明は、請求項１記載の男性用下着において、前記生地は、男性用の下着の前身の内側に取付けられるようになっていることを特徴としている。
【００１１】
また、請求項３記載の発明は、請求項１記載の男性用下着において、前記生地は、男性用の下着に着脱自在に取付けられるようになっていることを特徴としている。
【００１２】
また、請求項４記載の発明は、男性用の下着の内部に取り付けられて用いられる生地であって、該生地は、下着と協働して男性器官用のポケットとして機能する本体部と、本体部の上方に本体部と一体となって形成された伸縮性を有する一対の腕部とを有し、前記一対の腕部の各内側縁は、前記本体部の上縁と連続して、Ｕ字形の形状をなし、該Ｕ字形形状部には、これに沿って伸縮性部材が配設されており、また、前記生地は、伸縮性のある素材で形成され、また、前記生地の本体部をのばしながら生地の本体部の外縁が伸縮性部材でくるみ込むように縫製されていることによって、生地の本体部が所定の膨らみを有していることを特徴としている。
【発明の効果】
【００１３】
以上に説明したように、請求項１乃至請求項３記載の発明によれば、男性用の下着の内部に男性器官用のポケットとして機能する生地が設けられており、該生地は、下着と協働して男性器官用のポケットとして機能する本体部と、本体部の上方に本体部と一体となって形成された伸縮性を有する一対の腕部とを有し、前記一対の腕部は、その各上縁が下着に取り付けられ、外側縁および内側縁が下着に対し開放されており、前記一対の腕部の外側縁には、これに沿って伸縮性部材が配設され、また、一対の腕部の各内側縁は、前記本体部の上縁と連続して、Ｕ字形の形状をなし、該Ｕ字形形状部には、これに沿って伸縮性部材が配設され、該Ｕ字形形状部は、ここから男性器官が前記ポケット内にいれられたときに、男性器官の下部に当接し、男性器官を下方から支持するようになっており、また、前記生地は、伸縮性のある素材で形成され、前記生地の本体部の面は、所定の大きさおよび厚さの吸水用パッドがポケット内に入るように、湾曲して所定の膨らみを有しているので、吸水用パッド（尿などを吸収するためのパッド）をポケット内に入れることができ、この場合にも着用者に違和感を生じさせずに男性器官を安定して支持することができる。
【００１４】
また、請求項４記載の発明によれば、男性用の下着の内部に取り付けられて用いられる生地であって、該生地は、下着と協働して男性器官用のポケットとして機能する本体部と、本体部の上方に本体部と一体となって形成された伸縮性を有する一対の腕部とを有し、前記一対の腕部の各内側縁は、前記本体部の上縁と連続して、Ｕ字形の形状をなし、該Ｕ字形形状部には、これに沿って伸縮性部材が配設されており、また、前記生地は、伸縮性のある素材で形成され、また、前記生地の本体部をのばしながら生地の本体部の外縁が伸縮性部材でくるみ込むように縫製されていることによって、生地の本体部が所定の膨らみを有しているので、生地にダーツやイセコミ等を施さずとも、生地に十分な膨らみをもたせることができる。
【発明を実施するための最良の形態】
【００１５】
以下、本発明の実施形態を図面に基づいて説明する。
【００１６】
図１は本発明に係る男性用下着の構成例を示す図である。本発明の男性用下着１は、下着１０の内部に男性器官用のポケットとして機能する生地２が設けられている。なお、図１の例では、下着１０として図７に示したような在来の下着２０，例えばトランクスやブリ−フ，ボクサートランクス等が用いられているとする。
【００１７】
生地２は、例えば図２に示すような形状のものであって、下着１０と協働してポケットとして機能する本体部３１と、本体部３１の上方に本体部３１と一体となって形成された伸縮性のある一対の腕部３２，３３とを有している。本体部３１は、外縁２Ｋ−２Ｌ，２Ｌ−２Ｍ，２Ｍ−２Ｎが下着１０，すなわち下着２０の前身２１の内側部位２１Ｋ−２１Ｌ，２１Ｌ−２１Ｍ，２１Ｍ−２１Ｎにそれぞれ取付けられ（例えば縫着され）ており、また、一対の腕部３２，３３の上縁２Ｉ−２Ｊ，２Ｏ−２Ｐは、下着１０の前身２１の内側部位２１Ｉ−２１Ｊ，２１Ｏ−２１Ｐに取付けられ（例えば縫着され）ている。すなわち、一対の腕部３２，３３の各外側縁２Ｊ−２Ｋ，２Ｎ−２Ｏと各内側縁とだけが開放されている。なお、一対の腕部３２，３３の各内側縁は、本体部３１の上縁と連続してＵ字形の形状の開放縁２Ｉ−２Ｐをなしており、この開放縁２Ｉ−２Ｐから男性器官をポケット内に入れることができるようになっている。また、生地２には、伸縮性（ストレッチ性）のある布（例えば、ストレッチ性の綿，ポリエステル，メッシュ，ニットなどの素材）が用いられている。また、生地２には、伸縮性（ストレッチ性）があるとともに、通気性の良い素材が用いられるのが好ましい。また、一対の腕部３２，３３の各外側縁２Ｊ−２Ｋ，２Ｎ−２Ｏ，本体部３１の外縁２Ｋ−２Ｌ，２Ｌ−２Ｍ，２Ｍ−２Ｎと、内側縁２Ｉ−２Ｐとには、例えばバイアスの布等の伸縮性部材３６，３８がそれぞれ配設されている。なお、図２の例では、生地２の連続した外縁２Ｊ−２Ｋ−２Ｌ−２Ｍ−２Ｎ−２Ｏに、連続した一体の伸縮性部材３６が配設されている。
【００１８】
そして、本発明では、生地２の本体部３１をのばしながら（ひっぱりながら）生地２の本体部３１の外縁を伸縮性部材でくるみ込むように縫製することによって、生地２の本体部３１が所定の膨らみを有している。
【００１９】
すなわち、本発明では、生地２の本体部３１の面は、所定の大きさおよび厚さの吸水用パッドがポケット内に入るように、湾曲して所定の膨らみを有している。
【００２０】
ここで、所定の大きさおよび厚さの吸水用パッドとしては、例えば、（株）クレシアから市販されている製品名「ポイズパッド」（登録商標）の男性用尿吸収パッド（大人用紙おむつ）などを用いることができる。図３は吸水用パッドの一例の概略を示す図である。この場合、吸水用パッド１００の大きさは、前後方向の長さＬ１が３０ｃｍ程度以下であり、幅方向の長さＬ２が１３ｃｍ程度以下のものである。また、吸水用パッド１００の厚さは、１．５ｃｍ程度以下のものである。
【００２１】
図４は、図２の生地２の側面図であり、本発明の生地２の本体部３１は、上述のように、生地２の本体部３１をのばしながら（ひっぱりながら）生地２の本体部３１の外縁を伸縮性部材でくるみ込むように縫製することによって、０．５ｃｍ〜３ｃｍ程度の膨らみｄを有している。
【００２２】
図５（ａ）乃至（ｃ）は図２，図４の生地２の作製工程の一例を示す図である。この例では、先ず、図５（ａ）のように、伸縮性（ストレッチ性）のある布１１で生地２の外形を裁ち、次いで、生地２とは別に、例えばバイアスの布で図５（ｂ）に示すような取付用生地（伸縮性部材）５を、生地２の２つの縁２Ｊ−２Ｋ−２Ｌ−２Ｍ−２Ｎ−２Ｏ，２Ｐ−２Ｉの各々に対応した長さで２つ作成する。そして、図５（ｃ）に示すように、これら２つの取付用生地（伸縮性部材）５を中心線Ｚ−Ｚのところで折り返しながら、生地２の２つの縁２Ｊ−２Ｋ−２Ｌ−２Ｍ−２Ｎ−２Ｏ，２Ｐ−２Ｉの各々に、縁をくるみ込むように縫着する。このとき、生地２の本体部３１をのばしながら（ひっぱりながら）生地２の本体部３１の外縁を取付用生地（伸縮性部材）５でくるみ込むように縫製する。これによって、生地２の本体部３１に所定の膨らみをもたせることができる。しかる後、生地２の３つの縁２Ｊ−２Ｋ，２Ｎ−２Ｏ，２Ｐ−２Ｉ以外の縁２Ｉ−２Ｊ，２Ｋ−２Ｌ，２Ｌ−２Ｍ，２Ｍ−２Ｎ，２Ｏ−２Ｐを下着２０の前身２１の内側縁２１Ｉ−２１Ｊ，２１Ｋ−２１Ｌ，２１Ｌ−２１Ｍ，２１Ｍ−２１Ｎ，２１Ｏ−２１Ｐにそれぞれ縫着することによって、図１に示すような男性用下着１として仕上げることができる。
【００２３】
このような男性用下着１では、生地２のＵ字形に裁たれた縁，すなわちＵ字形形状部２Ｐ−２Ｉについては、下着２０に縫着等されておらず、開放されており、男性用下着１の着用時にこのＵ字形形状部２Ｐ−２Ｉから生地２と下着２０の前身２１との間に男性器官を入れ、この間に男性器官を収容することができる。この際、一対の腕部３２，３３は、これらの外側縁２Ｊ−２Ｋ，２Ｏ−２Ｎと内側縁２Ｐ−２Ｉが開放されており、また、伸縮性を有しているので、一種の吊りバンドとして機能し、その伸縮性によって男性器官がポケット内に入れられたときに、Ｕ字形形状部２Ｐ−２Ｉが男性器官の下部に当接し、男性器官を下方から支持する。このような生地２が下着２０の内部に設けられていることによって、男性器官がこのポケット内に入っているときに、男性器官が脚等に接触するのを防止できる。これによって、長時間座っているときやスポ−ツをしているときなどにも快く、また、汗をかいたときなどでも衛生的である。また、吊りバンドとして機能する伸縮性のある腕部３２，３３によって、そのＵ字形形状部により男性器官を確実に支持することができて、この場合でも形状がＵ字形となっていることによって男性器官を安定して支持し、かつ男性器官の下部に圧迫感等を与えずに済む。さらに、一対の腕部３２，３３の外側縁２Ｊ−２Ｋ，２Ｎ−２ＯとＵ字形形状部２Ｐ−２Ｉとに伸縮性部材３６，３８が配設されているときには、より伸縮性を高め、男性器官をより安定して支持することができる。
【００２４】
さらに、生地２が伸縮性のある布で形成されている場合には、ポケット内に収容された男性器官に圧迫感を与えるのを防止することができる。
【００２５】
さらに、本発明の男性用下着では、生地２の本体部３１の面は、所定の大きさおよび厚さの吸水用パッド（尿などを吸収するためのパッド）がポケット内に入るように、湾曲し所定の膨らみを有しているので、吸水用パッドをポケット内に入れることができる。図６には、図１の男性用下着のポケット内に図３に示したような吸水用パッド１００を入れた状態（ほぼ半分に折って入れた状態）が示されている。なお、図６には男性用下着が裏返された状態で示されている。
【００２６】
このように、ポケット内部にパッドを入れることができて、パッドがずれたり、はずれたり、落ちたりすることなく男性用下着内部に安定して保持することができる。また、男性用器官もパッド内に収まり、また、尿漏れ時にもパッドが尿を吸収するので、下着等が汚れたりすることを避けることが出来る。すなわち、ポケットを付けることにより、パッドを安定保持できることから尿漏れによる下着の汚れを防止できる。すなわち、下着への尿漏れを防止できる。
【００２７】
また、本発明の男性用下着は、トランクス，ブリーフ，ボクサートランクス等の全ての男性用下着に適用でき、外観的にパッドが下着内部に使用されていることが全くわからなく、入浴時などの下着着脱時にもパッドが内部に使用されていることが他からわからずに着脱できる。なお、現在市販されている男性用パッドはトランクスでの使用はさけるように表示されているが、本発明によれば、現在市販されている男性用パッドをトランクスにも使用でき、どんな男性用下着にも装着することができる。
【００２８】
また、本発明の男性用下着は、尿漏れ以外にもスパッツやタイツ等を着用した場合にも、男性器官の形が外観にでることなく美しいシルエットになる。
【００２９】
上述の例では、伸縮性部材３６を生地２の外縁２Ｊ−２Ｋ−２Ｌ−２Ｍ−２Ｎ−２Ｏに連続して一体のものとして配設したが、例えば、外縁２Ｊ−２Ｋ，２Ｎ−２Ｎと、外縁２Ｋ−２Ｌ−２Ｍ−２Ｎとに、それぞれ別体の伸縮性部材を配設しても良い。また、この場合、例えば、外縁２Ｊ−２Ｋ，２Ｎ−２Ｎに配設される伸縮性部材と内縁２Ｐ−２Ｉに配設される伸縮性部材とを例えば同じ材質のものにし、外縁２Ｊ−２Ｋ，２Ｎ−２Ｎに配設される伸縮性部材と外縁２Ｋ−２Ｌ，２Ｌ−２Ｍ，２Ｍ−２Ｎに配設される伸縮性部材とを異なる材質のものにすることもできる。
【００３０】
また、伸縮性部材３６を生地２の外縁２Ｋ−２Ｌ−２Ｍ−２Ｎにのみ配設し、外縁２Ｊ−２Ｋ，２Ｎ−２Ｎには配設しないようにすることもできる。
【図面の簡単な説明】
【００３１】
【図１】本発明に係る男性用下着の構成例を示す図である。
【図２】生地の一例を示す図（正面図）である。
【図３】吸水用パッドの一例の概略を示す図である。
【図４】図２の生地の側面図である。
【図５】（ａ）乃至（ｃ）は図２，図４の生地の作製工程の一例を示す図である。
【図６】本発明の男性用下着のポケット内に吸水用パッドを入れた状態を示す図である。
【図７】従来の男性用下着の一例を示す図である。
【符号の説明】
【００３２】
１              男性用下着
２              生地
５              取付用生地
１０，２０      下着
２１            前身
【図１】
2006214026.tif 000003
【図２】
2006214026.tif 000004
【図３】
2006214026.tif 000005
【図４】
2006214026.tif 000006
【図５】
2006214026.tif 000007
【図６】
2006214026.tif 000008
【図７】
2006214026.tif 000009